(57)【特許請求の範囲】
【請求項１】
所定箇所に設けられた広開口部、この広開口部に隣接する箇所に設けられた第１機能表示部、およびこの第１機能表示部に対応して設けられた針露出部を備えている第１文字板と、
この第１文字板の前記広開口部から露出した状態で前記第１文字板の下側に配置され、且つ前記第１機能表示部に隣接する箇所に第２機能表示部が前記第１機能表示部に対向して設けられた第２文字板と、
前記第１文字板と前記第２文字板との間に位置した状態で、前記第１機能表示部と前記第２機能表示部とに跨る領域内に移動可能に設けられて、前記第１機能表示部と前記第２機能表示部とのいずれかを選択的に指示する針部材と、
を備えたことを特徴とする文字板構造。
【請求項２】
所定箇所に設けられた広開口部、この広開口部に隣接する箇所に設けられた第１機能表示部、およびこの第１機能表示部に対応して設けられた針露出部を備えている第１文字板と、
この第１文字板の前記広開口部から露出した状態で前記第１文字板の下側に配置され、且つ前記第１機能表示部に隣接する箇所に第２機能表示部が前記第１機能表示部に対向して設けられた第２文字板と、
前記第１文字板と前記第２文字板との間に位置した状態で、前記第１機能表示部と前記第２機能表示部とに跨る領域内に移動可能に設けられ、その一端部に前記第１、第２の各機能表示部のいずれかを選択的に指示する第１指示部が設けられ、他端部に前記第２機能表示部を指示する第２指示部が設けられた針部材と、
を備えたことを特徴とする文字板構造。
【請求項３】
前記針露出部は、前記第１機能表示部の各機能表示にそれぞれ対応して設けられて前記針部材の一部を露出させる複数の露出孔と、この複数の露出孔の各間にそれぞれ設けられた複数の遮蔽部とを有することを特徴とする請求項１または２に記載の文字板構造。
【請求項４】
前記針露出部は、前記第１機能表示部の各機能表示に沿って連続して設けられて前記針部材の一部を露出させる露出孔を有することを特徴とする請求項１または２に記載の文字板構造。
【請求項５】
前記第１機能表示部と前記第２機能表示部との各機能表示は、その両者の対角線上において互いに対向する位置に対し相互にずれた位置に表示されていることを特徴とする請求項１〜４のいずれかに記載の文字板構造。
【請求項６】
前記第２機能表示部は、その外周側に位置する外周目盛部と、この外周目盛部の内周側に位置する内周目盛部とを有することを特徴とする請求項１〜５のいずれかに記載の文字板構造。
【請求項７】
前記外周目盛部と前記内周目盛部との各目盛は、相対的にずれた位置に表示されていることを特徴とする請求項６に記載の文字板構造。
【請求項８】
前記第１指示部の先端は、前記内周目盛部の一部を隠しながら前記外周目盛部の内周に沿って移動して前記外周目盛部の目盛を指示し、前記第２指示部の先端は、前記内周目盛部の内周に沿って移動して前記内周目盛部の目盛を指示することを特徴とする請求項６または７に記載の文字板構造。
【請求項９】
請求項１または請求項２に記載の文字板構造を機器本体に備えていることを特徴とする指針式機器。
【発明の詳細な説明】
【技術分野】
【０００１】
この発明は、時計などの電子機器や計器類に用いられる文字板構造および指針式機器に関する。
【背景技術】
【０００２】
例えば、時計に用いられる文字板構造においては、特許文献１に記載されているように、文字板の上方を運針する指針の一端部に時刻指示部を設け、他端部に機能指示部を設け、モード選択スイッチで通常運針モードを選択した際に、文字板の外周に設けられた時刻表示部を指針の時刻指示部が指示し、モード選択スイッチで機能表示モードを選択した際に、文字板の所定箇所に設けられた機能表示部を指針の機能指示部が指示するように構成されたものが知られている。
【特許文献１】特開２００４−２２６３５０
【発明の開示】
【発明が解決しようとする課題】
【０００３】
しかしながら、このような従来の文字板構造では、モード選択スイッチで通常運針モードと機能表示モードとのいずれを選択したかを、使用者が覚えていなければ、指針が時刻を指示しているのか、あるいは機能表示を指示しているのか、判断することができず、このため指針による指示を誤認することがあるという問題がある。
【０００４】
この発明が解決しようとする課題は、針部材による指示の誤認を防ぐことができる文字板構造および指針式機器を提供することである。
【課題を解決するための手段】
【０００５】
この発明は、上記課題を解決するために、次のような構成要素を備えている。
請求項１に記載の発明は、所定箇所に設けられた広開口部、この広開口部に隣接する箇所に設けられた第１機能表示部、およびこの第１機能表示部に対応して設けられた針露出部を備えている第１文字板と、この第１文字板の前記広開口部から露出した状態で前記第１文字板の下側に配置され、且つ前記第１機能表示部に隣接する箇所に第２機能表示部が前記第１機能表示部に対向して設けられた第２文字板と、前記第１文字板と前記第２文字板との間に位置した状態で、前記第１機能表示部と前記第２機能表示部とに跨る領域内に移動可能に設けられて、前記第１機能表示部と前記第２機能表示部とのいずれかを選択的に指示する針部材と、を備えたことを特徴とする文字板構造である。
【０００６】
請求項２に記載の発明は、所定箇所に設けられた広開口部、この広開口部に隣接する箇所に設けられた第１機能表示部、およびこの第１機能表示部に対応して設けられた針露出部を備えている第１文字板と、この第１文字板の前記広開口部から露出した状態で前記第１文字板の下側に配置され、且つ前記第１機能表示部に隣接する箇所に第２機能表示部が前記第１機能表示部に対向して設けられた第２文字板と、前記第１文字板と前記第２文字板との間に位置した状態で、前記第１機能表示部と前記第２機能表示部とに跨る領域内に移動可能に設けられ、その一端部に前記第１、第２の各機能表示部のいずれかを選択的に指示する第１指示部が設けられ、他端部に前記第２機能表示部を指示する第２指示部が設けられた針部材と、を備えたことを特徴とする文字板構造である。
【０００７】
請求項３に記載の発明は、前記針露出部が、前記第１機能表示部の各機能表示にそれぞれ対応して設けられて前記針部材の一部を露出させる複数の露出孔と、この複数の露出孔の各間にそれぞれ設けられた複数の遮蔽部とを有することを特徴とする請求項１または２に記載の文字板構造である。
【０００８】
請求項４に記載の発明は、前記針露出部が、前記第１機能表示部の各機能表示に沿って連続して設けられて前記針部材の一部を露出させる露出孔を有することを特徴とする請求項１または２に記載の文字板構造である。
【０００９】
請求項５に記載の発明は、前記第１機能表示部と前記第２機能表示部との各機能表示が、その両者の対角線上において互いに対向する位置に対し相互にずれた位置に表示されていることを特徴とする請求項１〜４のいずれかに記載の文字板構造である。
【００１０】
請求項６に記載の発明は、前記第２機能表示部が、その外周側に位置する外周目盛部と、この外周目盛部の内周側に位置する内周目盛部とを有することを特徴とする請求項１〜５のいずれかに記載の文字板構造である。
【００１１】
請求項７に記載の発明は、前記外周目盛部と前記内周目盛部との各目盛が、相対的にずれた位置に表示されていることを特徴とする請求項６に記載の文字板構造である。
【００１２】
請求項８に記載の発明は、前記第１指示部の先端が前記内周目盛部の一部を隠しながら前記外周目盛部の内周に沿って移動して前記外周目盛部の目盛を指示し、前記第２指示部の先端が前記内周目盛部の内周に沿って移動して前記内周目盛部の目盛を指示することを特徴とする請求項６または７に記載の文字板構造である。
【００１３】
請求項９に記載の発明は、請求項１または請求項２に記載の文字板構造を機器本体に備えていることを特徴とする指針式機器である。
【発明の効果】
【００１４】
この発明によれば、第１文字板と第２文字板との間に配置された針部材が第１機能表示部と第２機能表示部とに跨る領域内で移動する際、第１機能表示部側の領域では、針部材が第１文字板の下側に隠れるが、針部材の一部が針露出部から露出して第１機能表示部を指示することができ、また第２機能表示部側の領域では、針部材が第１文字板の広開口部から露出して第２機能表示部を指示していることを視認することができる。これにより、針部材が第１機能表示部と第２機能表示部とのいずれを指示しているかを確認することができるので、針部材による機能表示部に対する指示の誤認を確実に且つ容易に防ぐことができる。
【発明を実施するための最良の形態】
【００１５】
（実施形態１）
以下、図１〜図１０を参照して、この発明を指針式の腕時計に適用した実施形態１について説明する。
この腕時計は、図１に示すように、時計本体を構成している腕時計ケース１を備えている。この腕時計ケース１の上部外周にはベゼル２が取り付けられており、この腕時計ケース１の上側開口部には時計ガラス３がパッキン３ａを介して取り付けられている。また、この腕時計ケース１の内部には、時計モジュール４が収容されており、この腕時計ケース１の下部には裏蓋５が防水リング５ａを介して取り付けられている。さらに、腕時計ケース１の外側面には、複数の押釦スイッチ（図示せず）が設けられている。
【００１６】
時計モジュール４は、図１に示すように、ハウジング６を備えている。このハウジング６内には、時計ムーブメント７が設けられている。また、このハウジング６の上面には、下文字板８が配置されていると共に、この下文字板８の上方には、上文字板９がリング状のスペーサ部材１０を介して配置されている。この場合、スペーサ部材１０は、ハウジング６の上面における外周部に配置されている。このスペーサ部材１０の上部には、上文字板９が配置されており、このスペーサ部材１０の上部における外周部には、リング状の下見切部材１１が設けられている。また、時計ガラス３の下面における外周部には、リング状の上見切部材１２が設けられている。
【００１７】
上文字板９は、図２に示すように、全体がほぼ円形の円板状に形成されている。この上文字板９の外周部には、時字１３が１時から１２時の各位置にそれぞれ対応して設けられている。また、この上文字板９の外周側に位置する下見切部材１１の上面には、図２に示すように、世界の各都市を表すワールドタイム表示部１２ａが時字１３に対応して表示されており、この下見切部材１１の上部外周側に位置する上見切部材１２には、１〜６０の目盛を表すストップウオッチ・アラーム目盛部１２ｂが表示されている。
【００１８】
この場合、上文字板９のほぼ中心部には、図１および図２に示すように、時計ムーブメント７によって駆動される指針軸１４が下文字板８と上文字板９との各軸挿入孔９ａを通して上方に突出した状態で設けられている。この指針軸１４の上部には、秒針１５ａ、分針１５ｂ、時針１５ｃなどの指針１５が取り付けられている。この指針１５は、上文字板９の上方を運針して上文字板９の時字１３を指示することにより、時刻を指示するように構成されている。
【００１９】
また、上文字板９の所定箇所、つまり８時付近から１１時付近までの箇所には、図１および図２に示すように、扇形状の第１補助機能表示部１６が設けられている。この第１補助機能表示部１６には、図１に示すように、補助軸１７が軸挿入孔９ｂを通して上文字板９の上方に突出した状態で設けられている。この補助軸１７の上部には、補助針１８が取り付けられている。この補助針１８は、上文字板９の第１補助機能表示部１６の上方を運針して第１補助機能表示部１６に設けられた曜日などの機能表示を指示することにより、曜日などの機能が分かるように構成されている。
【００２０】
ところで、上文字板９には、図１〜図３に示すように、１時付近から６時付近において、その外周部からほぼ中心部にかけてほぼ半円形状をなす広開口部２０が設けられている。この広開口部２０に隣接する上文字板９の６時側に位置する箇所には、その左側（９時側）が凸となるほぼ半円形状の第１機能表示部２１が設けられている。この第１機能表示部２１は、時計回りに、ストップウオッチ（ＳＴＷ）、アラーム（ＡＬ）、ワールドタイム（ＷＴ）、タイマー（ＴＭＲ）、ベースタイム（ＢＴ）などの各機能が表示されている。
【００２１】
また、上文字板９における第１機能表示部２１の内周側に位置する箇所には、図２および図３に示すように、針露出部２２が設けられている。この針露出部２２は、図２〜図４に示すように、第１機能表示部２１の各機能表示にそれぞれ対応して設けられて後述する副針２３の一部を露出させるための複数の露出孔２２ａと、この複数の露出孔２２ａの各間にそれぞれ設けられて副針２３を隠すための複数の遮蔽部２２ｂとを有している。
【００２２】
一方、上文字板９の下側に位置する下文字板８は、図１〜図３に示すように、上文字板９の広開口部２０に対応する箇所が上方に露呈し、この露呈する箇所に第２機能表示部２４、第２補助機能表示部２５、および日付表示部２６が設けられた構成になっている。この場合、第２機能表示部２４は、図２および図３に示すように、上文字板９の第１機能表示部２１に対向して設けられている。
【００２３】
すなわち、この第２機能表示部２４は、その右側（３時側）が凸となるほぼ半円形状に形成されて第１機能表示部２１と対向することにより、図２および図３に示すように、時計モジュール４を正面（図１では上方）から見た際、全体がほぼ円形状をなすように構成されている。この第２機能表示部２４は、図４に示すように、1/20秒の秒目盛が半円弧に沿って表示されている。
【００２４】
また、第１機能表示部２１と第２機能表示部２４との両者に跨る領域内における上文字板９と下文字板８との間には、図１〜図３に示すように、副針２３が回転移動可能に設けられている。この副針２３は、図１に示すように、時計ムーブメント７によって駆動される副針軸２７が下文字板８の軸挿入孔９ｃを通して下文字板８の上方に突出し、この突出した副針軸２７の上部に取り付けられて下文字板８と上文字板９との間で運針し、第１機能表示部２１と第２機能表示部２４とのいずれかの機能表示を指示するように構成されている。
【００２５】
すなわち、この副針２３は、図２〜図４に示すように、全体がほぼ長方形に形成されている。この副針２３の一端部である基端部は、副針軸２７に取り付けられ、他端部である先端部は、鈍角の約１２０°の角度に尖って形成されている。これにより、副針２３は、副針軸２７を中心に回転し、上文字板９の下側に移動した際に、図５〜図１０に示すように、その先端部側の一部の露呈部２３ａが針露出部２２の露出孔２２ａに対応して露呈することにより、第１機能表示部２１の機能表示を指示するように構成されている。この場合、副針２３の露呈部２３ａにおける表面は、上文字板９と異なる色、または針露出部２２の露出孔２２ａに対応して露呈した際に、目立つ色に表示されている。
【００２６】
また、この副針２３の露呈部２３ａは、上文字板９の下側に移動して針露出部２２の露出孔２２ａの間に位置した際に、図６に示すように、針露出部２２の遮蔽部２２ｂに対応してほぼ完全に隠れるように構成されている。また、この副針２３は、図４に示すように、上文字板９の広開口部２０内を移動する際に、その先端部の鈍角で尖った部分が第２機能表示部２４の機能表示である秒目盛を指示するように構成されている。
【００２７】
一方、下文字板８上の第２補助機能表示部２５は、３０分タイマー機能を表す部分であり、図２に示すように、下文字板８上に設けられたリング状の表示枠２５ａと、この表示枠２５ａ内で回転する円板状の回転板２５ｂとを有している。表示枠２５ａは、図２に示すように、その上面に０〜３０の分目盛などの機能が表示されている。回転板２５ｂは、時計ムーブメント７によって駆動される副針軸が軸挿入孔（いずれも図示せず）を通して下文字板８の上方に突出し、この突出した副針軸の上部に取り付けられて回転するように構成されている。
【００２８】
この場合、回転板２５ｂは、図２に示すように、その上面の所定位置に三角形状の指示マーク２８が設けられ、この指示マーク２８が表示枠２５ａの分目盛を指示することにより、タイマー時間が分かるように構成されている。また、日付表示部２６は、図２に示すように、下文字板８に設けられた四角形状の窓部３０に、日車などの表示板に表示された１〜３１の日付表示３１が対応することにより、日付が分かるように構成されている。
【００２９】
次に、この腕時計を使用する場合について、説明する。
通常は、図２において、秒針１５ａ、分針１５ｂ、時針１５ｃなどの指針１５が上文字板９の上方を運針して、上文字板９の上面外周に設けられた時字１３を指示することにより、現在時刻を知ることができる。このときには、上文字板９の第１補助機能表示部１６の補助針１８が曜日などの機能表示を指示することにより、曜日などの機能を知ることができると共に、上文字板９の広開口部２０内に位置する日付表示部２６の窓部３０に露出して表示された日付をも知ることができる。
【００３０】
また、この状態で、押釦スイッチ（図示せず）を操作して、ストップウオッチモードを選択すると、図２に示すように、指針１５の秒針１５ａが０秒位置（図２では６０秒位置）から運針を開始すると共に、図４および図５に示すように、副針２３が６時側に位置する第１、第２の各機能表示部２１、２４の領域内をほぼ１８０°の角度範囲で往復回転移動する。すなわち、副針２３は、第１機能表示部２１のストップウオッチ（ＳＴＷ）の機能表示に対応する位置から、第２機能表示部２４の１０秒の目盛に対応する位置までの間を1/20秒の速さでほぼ１８０°の角度範囲を往復回転移動する。
【００３１】
このため、副針２３が第２機能表示部２４に沿って移動しているときには、図４に示すように、副針２３が上文字板９の広開口部２０内に位置した状態で回転移動し、その副針２３の回転移動に応じて第２機能表示部２４の秒目盛を指示するので、1/20秒の秒時間を知ることができる。また、副針２３が上記と反対方向に回転移動して元の位置、つまり第１機能表示部２１のストップウオッチ（ＳＴＷ）の機能表示に移動した際に、副針２３が上文字板９の下側に隠れるが、副針２３がストップウオッチ（ＳＴＷ）の機能表示に位置したときには、図５に示すように、これに対応する針露出部２２の露出孔２２ａから副針２３の一部の露呈部２３ａが露出するので、この露呈部２３ａの露出状態を通して現在のモードがストップウオッチ（ＳＴＷ）の機能表示モードであることを確認することができる。
【００３２】
このときには、副針２３が第１機能表示部２１のストップウオッチ（ＳＴＷ）の機能表示に対応する位置から第２機能表示部２４の１０秒の目盛に対応する位置までの間を1/20秒の速さでほぼ１８０°の角度範囲の往復回転移動するので、図５に示すように、副針２３の一部の露呈部２３ａがストップウオッチ（ＳＴＷ）の機能表示に位置して、針露出部２２の露出孔２２ａから露出している時間が短く、ストップウオッチ（ＳＴＷ）の機能表示に対応している針露出部２２の露出孔２２ａに対応する露呈部２３ａが出入りを短時間で繰り返すことから、あたかも点滅しているように見えることになり、この点滅状態でもストップウオッチ（ＳＴＷ）の機能表示モードであることを確認することができる。
【００３３】
また、押釦スイッチ（図示せず）を操作して、アラームモードを選択すると、図２において、６時側に位置する第１機能表示部２１の領域内に副針２３が回転移動し、図７に示すように、第１機能表示部２１のアラーム（ＡＬ）の機能表示を指示して停止する。このときには、副針２３は上文字板９の下側に隠れるが、副針２３がアラーム（ＡＬ）の機能表示に位置したときには、これに対応する針露出部２２の露出孔２２ａから副針２３の一部の露呈部２３ａが露出するので、この露呈部２３ａの露出状態を通して現在のモードがアラーム（ＡＬ）の機能表示モードであることを確認することができる。
【００３４】
同様に、押釦スイッチ（図示せず）を操作して、ワールドタイムモードを選択すると、図２において、６時側に位置する第１機能表示部２１の領域内に副針２３が回転移動し、図８に示すように、第１機能表示部２１のワールドタイム（ＷＴ）の機能表示を指示して停止する。このときにも、副針２３は上文字板９の下側に隠れるが、副針２３がワールドタイム（ＷＴ）の機能表示に位置したときには、これに対応する針露出部２２の露出孔２２ａから副針２３の一部の露呈部２３ａが露出するので、この露呈部２３ａの露出状態を通して現在のモードがワールドタイム（ＷＴ）の機能表示モードであることを確認することができる。
【００３５】
また同様に、押釦スイッチ（図示せず）を操作して、タイマーモードを選択すると、図２において、６時側に位置する第１機能表示部２１の領域内に副針２３が回転移動し、図９に示すように、第１機能表示部２１のタイマー（ＴＭＲ）の機能表示を指示して停止する。このときにも、副針２３は上文字板９の下側に隠れるが、副針２３がタイマー（ＴＭＲ）の機能表示に位置したときには、これに対応する針露出部２２の露出孔２２ａから副針２３の一部の露呈部２３ａが露出するので、この露呈部２３ａの露出状態を通して現在のモードがタイマー（ＴＭＲ）の機能表示モードであることを確認することができる。
【００３６】
さらに、押釦スイッチ（図示せず）を操作して、ベースタイムモードを選択すると、図２において、６時側に位置する第１機能表示部２１の領域内に副針２３が回転移動し、図１０に示すように、第１機能表示部２１のベースタイム（ＢＴ）の機能表示を指示して停止する。このときにも、副針２３は上文字板９の下側に隠れるが、副針２３がベースタイム（ＢＴ）の機能表示に位置したときには、これに対応する針露出部２２の露出孔２２ａから副針２３の一部の露呈部２３ａが露出するので、この露呈部２３ａの露出状態を通して現在のモードがベースタイム（ＢＴ）の機能表示モードであることを確認することができる。
【００３７】
このように、この腕時計によれば、上文字板９と下文字板８との間に配置された副針２３が第１機能表示部２１と第２機能表示部２４とに跨る領域内で移動する際、第１機能表示部２１側の領域では、副針２３が上文字板９の下側に隠れるが、副針２３の一部が針露出部２２から露出することにより、第１機能表示部２１を指示することができ、また第２機能表示部２４側の領域では、副針２３が上文字板９の広開口部２０から露出するので、副針２３が第２機能表示部２４を指示していることを視認することができる。これにより、副針２３が第１機能表示部２１と第２機能表示部２４とのいずれを指示しているかを確認することができるので、副針２３による第１、第２の各機能表示部２１、２４に対する指示の誤認を防ぐことができる。
【００３８】
この場合、第１機能表示部２１に対応する針露出部２２は、第１機能表示部２１におけるストップウオッチ（ＳＴＷ）、アラーム（ＡＬ）、ワールドタイム（ＷＴ）、タイマー（ＴＭＲ）、ベースタイム（ＢＴ）などの各機能表示にそれぞれ対応して設けられて副針２３の一部を露出させる複数の露出孔２２ａと、この複数の露出孔２２ａの各間にそれぞれ設けられた複数の遮蔽部２２ｂとを有しているので、副針２３が第１機能表示部２１側に回転移動して第１機能表示部２１の各機能表示を指示する際、副針２３が上文字板９の下側に隠れても、各機能表示のいずれかに位置したときに、これに対応する針露出部２２の露出孔２２ａから副針２３の一部を露出させることができ、これにより副針２３が第１機能表示部２１の各機能表示のいずれを指示しているかを確認することができる。
【００３９】
特に、ストップウオッチモードを選択した場合には、副針２３が第１機能表示部２１のストップウオッチ（ＳＴＷ）の機能表示に対応する位置から第２機能表示部２４の１０秒の目盛に対応する位置までの間を1/20秒の速さでほぼ１８０°の角度範囲の往復回転移動するので、図５に示すように、副針２３の一部がストップウオッチ（ＳＴＷ）の機能表示に位置して、針露出部２２の露出孔２２ａから露出している時間が短く、あたかもストップウオッチ（ＳＴＷ）の機能表示に対応している針露出部２２の露出孔２２ａが点滅しているように見えることになり、この点滅状態でストップウオッチ（ＳＴＷ）の機能表示モードであることを確認することができる。
【００４０】
（実施形態２）
次に、図１１〜図１３を参照して、この発明を適用した腕時計の実施形態２について説明する。なお、図１〜図１０に示された実施形態１と同一部分には同一符号を付して説明する。
この腕時計は、上文字板９の６時側に位置する第１機能表示部４０と、これに対向して下文字板８上に設けられた第２機能表示部４１と、第１、第２の各機能表示部４０、４１の両者に跨る領域内を運針する副針４２とが実施形態１と異なる構成であり、これ以外は実施形態１とほぼ同じ構成になっている。
【００４１】
すなわち、上文字板９の６時側に位置する箇所には、実施形態１と同様、左側（９時側）が凸となるほぼ半円形状の第１機能表示部４０が上文字板９の広開口部２０に隣接して設けられている。この第１機能表示部４０は、図１１〜図１３に示すように、曜日などのカレンダ機能を表示するものであり、反時計回りに、日曜日（ＳＵ）、月曜日（ＭＯ）、火曜日（ＴＵ）、水曜日（ＷＥ）、木曜日（ＴＨ）、金曜日（ＦＲ）、土曜日（ＳＡ）などの曜日の機能が表示されている。
【００４２】
この場合にも、上文字板９における第１機能表示部４０の内周側に位置する箇所には、図１１〜図１３に示したように、針露出部２２が設けられている。この針露出部２２は、実施形態１と同様、第１機能表示部４０の各機能表示にそれぞれ対応して設けられて後述する副針４２の一部を露出させるための複数の露出孔２２ａと、この複数の露出孔２２ａの各間にそれぞれ設けられた複数の遮蔽部２２ｂとを有している。
【００４３】
一方、上文字板９の下側に位置する下文字板８には、実施形態１と同様、第２機能表示部４１が上文字板９の広開口部２０から露呈して設けられている。この第２機能表示部４１は、図１１〜図１３に示すように、上文字板９の第１機能表示部４０に対向して設けられている。すなわち、第２機能表示部４１は、右側（３時側）が凸となるほぼ半円形状に形成されて第１機能表示部４０と対向することにより、時計モジュール４の正面から見て全体がほぼ円形状をなすように構成されている。
【００４４】
この第２機能表示部４１は、図１１〜図１３に示すように、その外周側に位置する外周目盛部４３と、この外周目盛部４３の内周側に位置する内周目盛部４４とを備えている。外周目盛部４３は、タイマー機能を表示する目盛部分であり、分単位に対応する分目盛が半円弧に沿って表示されている。また、内周目盛部４４は、ストップウオッチ機能の秒目盛部分であり、1/20秒単位の秒目盛が半円弧に沿って表示されている。
【００４５】
この場合、外周目盛部４３の分目盛と内周目盛部４４の秒目盛とは、図１１〜図１３に示すように、各目盛位置が相対的にずれて表示されている。また、この第２機能表示部４１における外周目盛部４３の分目盛と内周目盛部４４の秒目盛とのうち、少なくとも内周目盛部４４の秒目盛は、その対角線上に位置する第１機能表示部４０の各機能表示に対して、各目盛位置が互いに対向する位置から相互にずれた状態で表示されている。
【００４６】
ところで、副針４２は、実施形態１と同様、上文字板９と下文字板８との間に位置した状態で、第１機能表示部４０と第２機能表示部４１との両者に跨る領域内を回転移動可能に設けられている。この副針４２は、実施形態１と同様、時計ムーブメント７によって駆動される副針軸２７が軸挿入孔９ｃを通して下文字板８の上方に突出し、この突出した副針軸２７の上部に取り付けられて下文字板８と上文字板９との間で運針し、第１機能表示部４０と第２機能表示部４１とのいずれかの機能表示を指示するように構成されている。
【００４７】
すなわち、この副針４２は、図１１〜図１３に示すように、そのほぼ中間部が副針軸２７に取り付けられていることにより、その一端部に第１指示部４５が設けられ、他端部に第２指示部４６が設けられた構成になっている。この場合、副針４２の第１指示部４５は、実施形態１と同様、ほぼ長方形状に形成され、その先端部が鈍角（約１２０°）に形成されて尖った形状に形成されている。
【００４８】
この第１指示部４５は、その長さが副針２３の回転中心である副針軸２７から針露出部２２の外周までの長さに形成されていると共に、副針軸２７から第２機能表示部４１の内周目盛部４４の外周までの長さに形成されている。また、この副針４２の第２指示部４６は、幅が狭く細長い針状に形成され、その長さが副針軸２７から針露出部２２の内周までの長さに形成されていると共に、副針軸２７から第２機能表示部４１の内周目盛部４４の内周までの長さに形成されている。
【００４９】
このため、この副針４２は、副針軸２７を中心に回転し、第１指示部４５が上文字板９の下側を移動する際に、図１２および図１３に示すように、その一部が針露出部２２の露出孔２２ａに対応して露呈することにより、第１機能表示部２１の機能表示を指示するように構成されている。このときには、副針４２の第２指示部４６が第２機能表示部４１の内周目盛部４４を指示するが、第２指示部４６の先端は、内周目盛部４４の表示目盛に対応せず、ずれた位置を指示する。
【００５０】
また、この副針２３は、副針軸２７を中心に回転し、第１指示部４５が上文字板９の広開口部２０を移動する際、その先端部が第２機能表示部４１の内周目盛部４４の一部を覆って外周目盛部４３を指示するように構成されている。このときには、副針４２の第２指示部４６が上文字板９の下側に位置し、針露出部２２から露出することなく完全に隠れる。なお、この腕時計では、第１機能表示部４０で曜日などのカレンダ機能を表示するので、実施形態１のように、必ずしも上文字板９の第１補助機能表示部１６を設ける必要がない。
【００５１】
次に、このような腕時計を使用する場合について説明する。
通常は、実施形態１と同様に、秒針１５ａ、分針１５ｂ、時針１５ｃなどの指針１５が上文字板９の上方を運針して、上文字板９の上面外周に設けられた時字１３を指示することにより、現在時刻を知ることができる。この状態で、押釦スイッチ（図示せず）を操作して、タイマーモードを選択すると、図１１に示すように、副針４２の第１指示部４５が第２機能表示部４１の外周目盛部４３を指示するので、タイマー時間を知ることができる。
【００５２】
すなわち、副針４２の第１指示部４５が第２機能表示部４１の外周目盛部４３に沿って移動する際、第１指示部４５の先端部が第２機能表示部４１の内周目盛部４４の一部を隠しながら外周目盛部４３の内周に沿って移動して、外周目盛部４３の目盛を指示する。このとき、副針４２の第２指示部４６は、上文字板９の下側に位置して外部から見えないので、副針４２の第１指示部４５によってタイマー時間のみを知ることができる。
【００５３】
また、押釦スイッチ（図示せず）を操作して、ストップウオッチモードを選択すると、実施形態１と同様、指針１５の秒針１５ａが０秒位置から運針を開始すると共に、図１２に示すように、第１、第２の各機能表示部４０、４１の領域内を副針４２がほぼ１８０°の角度範囲で往復回転移動する。すなわち、副針４２は、第２指示部４６が第２機能表示部４１の内周目盛部４６に沿って1/20秒の速さでほぼ１８０°の角度範囲を往復回転移動すると共に、第１指示部４５が第１機能表示部４０に沿って1/20秒の速さでほぼ１８０°の角度範囲を往復回転移動する。
【００５４】
このため、副針４２は、第２指示部４６が第２機能表示部４１の内周目盛部４６に沿って移動しているときに、内周目盛部４６の秒目盛を指示するので、1/20秒の秒時間を知ることができる。このときには、副針４２の第１指示部４５が上文字板９の下側を移動するので、第１指示部４５の一部が針露出部２２の各露出孔２２ａから順次露出する。すなわち、第１指示部４５は、その一部が第１機能表示部４０の土曜日（ＳＡ）から日曜日（ＳＵ）までの各機能表示に対応する各露出孔２２ａに順次、時計回りに対応して露出し、これにより土曜日（ＳＡ）から日曜日（ＳＵ）までの各機能表示が順次点滅しているように見ることにより、ストップウオッチモードであることを確認することができる。
【００５５】
また、押釦スイッチ（図示せず）を操作して、曜日を表すカレンダモードを選択すると、図１３に示すように、副針４２の第１指示部４５が第１機能表示部２１に沿って回転移動し、所定の機能表示、例えばその日が水曜日（ＷＥ）である場合、その曜日つまり水曜日（ＷＥ）の機能表示を指示して停止する。すなわち、副針４２の第１指示部４５が機能表示である水曜日（ＷＥ）に位置すると、これに対応する針露出部２２の露出孔２２ａから第１指示部４５の一部が露出するので、カレンダモードで且つ水曜日（ＷＥ）であることを確認することができる。
【００５６】
このときには、第１機能表示部４０の各機能表示と第２機能表示部４１の各目盛とが、その両者の対角線上において互いに対向する位置に対し相互にずれた位置に表示されているので、第１指示部４５が機能表示である水曜日（ＷＥ）を指示して停止した際、第２指示部４６が第２機能表示部４１の内周目盛部４４を指示するが、その内周目盛部４４の目盛からずれた位置を指示して停止する。これにより、ストップウオッチモードでなく、カレンダモードであることを確認することができる。
【００５７】
このように、この腕時計によれば、実施形態１と同様の作用効果があるほか、上文字板９と下文字板８との間に位置した状態で、第１機能表示部４０と第２機能表示部４１とに跨る領域内に回転移動可能に設けられた副針４２が、その一端部に設けられて第１機能表示部４０と第２機能表示部４１とのいずれかを指示する第１指示部４５と、他端部に設けられて第２機能表示部４１を指示する第２指示部４６とを備えているので、副針４２の指示による誤認を起こさず、より多くの機能表示を指示することができる。
【００５８】
すなわち、副針４２の第１指示部４５が第２機能表示部４１を指示しているときには、第２指示部４６が上文字板９の下側に隠れて外部から見えないので、副針４２が第１、第２の各指示部４５、４６を備えていても、副針４２の指示による誤認を防ぐことができる。また、第１指示部４５が第１機能表示部４０を指示しているときには、第１指示部４５の一部が第１機能表示部４０の機能表示に対応する針露出部２２の露出孔２２ａに対応して外部に露出した状態で停止しているので、第２指示部４６が第２機能表示部４１を指示しても、第２指示部４６が停止していることにより、副針４２の指示による誤認を防ぐことができる。
【００５９】
また、副針４２の第２指示部４６が運針しながら第２機能表示部４１を順次指示するときには、第２機能表示部４１の内周目盛部４４の秒目盛を読み取ることができる。このときには、第１指示部４５が第１機能表示部４０に沿って移動し、第１指示部４５の一部が第１機能表示部４０の機能表示に対応する針露出部２２の露出孔２２ａに順次対応して露出することにより、各露出部２２ａが順次点滅しているように見えるので、選択されているモードが例えばストップウオッチモードであることを確認することができ、これにより副針４２の指示による誤認を防ぐことができる。
【００６０】
この場合、第２機能表示部４１は、その外周側に位置する外周目盛部４３と、この外周目盛部４３の内周側に位置する内周目盛部４４とを備え、副針４２の第１指示部４５の先端部が内周目盛部４４の一部を覆って外周目盛部４３を指示すると共に第１指示部４５の一部が針露出部２２の各露出部２２ａに順次対応して露出する長さに形成され、副針４２の第２指示部４６が内周目盛部４４の内周に沿って移動しながら指示すると共に第２指示部４４が針露出部部２２の各露出孔２２ａに到達せずに外部に露出しない長さに形成されているので、第２機能表示部４１が外周目盛部４３と内周目盛部４４とを備えていても、第１、第２の各指示部４５、４６による指示の誤認を防ぐことができる。
【００６１】
すなわち、第１指示部４５が第２機能表示部４１の外周目盛部４３に沿って移動する際には、第１指示部４５の先端部が第２機能表示部４１の内周目盛部４４の一部を隠しながら移動し、外周目盛部４３の内周に沿って移動して外周目盛部４３の目盛を指示するので、第１指示部４５による第２機能表示部４１に対する指示の誤認を防ぐことができる。このとき、副針４２の第２指示部４６は、上文字板９の下側に位置して外部から見えないので、第２指示部４６による誤認を防ぐことができる。
【００６２】
また、第２機能表示部４１は、外周目盛部４３の目盛と内周目盛部４４の目盛とが相対的にずれているので、副針４２の第１指示部４５が指示する外周目盛部４３の目盛を読み間違えることがなく、また第２指示部４６が指示する内周目盛部４４の目盛を読み間違えることもなく、第１、第２の各指示部４３、４４が指示した目盛を正確に読み取ることができる。
【００６３】
この場合、第１機能表示部４０の各機能表示と第２機能表示部４１の各目盛とは、その両者の対角線上において互いに対向する位置に対し相互にずれた位置に表示されているので、副針４２の第１指示部４５が第１機能表示部４０の機能表示を指示しているときに、第２指示部４６が第２機能表示部４１を指示しても、第２機能表示部４１の内周目盛部４４の目盛に対応しないため、これによっても副針４２の指示による誤認を防ぐことができる。
【００６４】
（実施形態３）
次に、図１４〜図１６を参照して、この発明を適用した腕時計の実施形態３について説明する。この場合にも、図１〜図１０に示された実施形態１と同一部分に同一符号を付して説明する。
この腕時計は、第１機能表示部２１の内周側に位置する針露出部５０の各露出孔５０ａ〜５０ｃの設置位置と、第１、第２の各機能表示部２１、２４の両者に跨る領域内を運針する副針５１とが実施形態１と異なる構成であり、これ以外は実施形態１とほぼ同じ構成になっている。
【００６５】
すなわち、針露出部５０は、図１４に示すように、第１機能表示部２１の各機能表示にそれぞれ対応して設けられて副針５１の一部を露出させるための複数の露出孔５０ａ〜５０ｃと、この複数の露出孔５０ａ〜５０ｃの各間にそれぞれ設けられて副針５１を隠すための複数の遮蔽部５０ｄとを有している。この場合、第１機能表示部２１は、時計回りに、アラーム（ＡＬ）、ワールドタイム（ＷＴ）、タイマー（ＴＭＲ）などの各機能表示が表示されている。
【００６６】
また、複数の露出孔５０ａ〜５０ｃのうち、アラーム（ＡＬ）の機能表示に対応する露出孔５０ａは、副針５１の回転中心から最も離れ、且つアラーム（ＡＬ）の機能表示に最も接近した位置に設けられている。また、ワールドタイム（ＷＴ）の機能表示に対応する露出孔５０ｂは、アラーム（ＡＬ）の機能表示よりも副針５１の回転中心に近づき、且つワールドタイム（ＷＴ）の機能表示から離れた位置に設けられている。さらに、タイマー（ＴＭＲ）の機能表示に対応する露出孔５０ｃは、副針５１の回転中心に最も近づき、且つタイマー（ＴＭＲ）の機能表示から最も離れた位置に設けられている。
【００６７】
一方、副針５１は、実施形態１と同様、第１機能表示部２１と第２機能表示部２４との両者に跨る領域内における上文字板９と下文字板８との間に回転移動可能に設けられている。すなわち、この副針５１は、図１４に示すように、ほぼ長方形に形成され、その一端部が副針軸２７に取り付けられ、他端部である先端部が鈍角（約１２０°）に形成されている。これにより、副針５１は、副針軸２７を中心に回転し、上文字板９の下側を移動する際に、図１５および図１６に示すように、その先端部側の一部が針露出部５０の露出孔５０ａ〜５０ｃに対応して露呈することにより、第１機能表示部２１の機能表示を指示するように構成されている。
【００６８】
この場合、副針５１は、上文字板９の下側に移動して針露出部５０の露出孔５０ａ〜５０ｃの間に位置した際には、針露出部５０の遮蔽部５０ｄに対応して隠れるように構成されている。また、この副針５１は、図１４に示すように、上文字板９の広開口部２０に移動した際に、その先端部の鈍角で尖った部分が第２機能表示部２４の機能表示（秒目盛）を指示するように構成されている。
【００６９】
さらに、この副針５１の表面は、図１４に示すように、針露出部５０の露出孔５０ａ〜５０ｃに対応する部分ごとに色分けされている。例えば、アラーム（ＡＬ）の機能表示に位置する露出孔５０ａに対応する副針５１の先端側の第１色部５１ａは、赤色に表示されている。また、ワールドタイム（ＷＴ）の機能表示に位置する露出孔５０ｂに対応する副針５１の第２色部５１ｂは、青色に表示されている。さらに、タイマー（ＴＭＲ）の機能表示に位置する露出孔５０ｃに対応する副針５１の第３色部５１ｃは、黄色に表示されている。
【００７０】
次に、この腕時計を使用する場合について、説明する。
通常は、実施形態１と同様、秒針１５ａ、分針１５ｂ、時針１５ｃなどの指針１５が上文字板９の上方を運針して、上文字板９の上面外周に設けられた時字１３を指示することにより、現在時刻を知ることができる。この状態で、押釦スイッチ（図示せず）を操作して、ストップウオッチモードを選択すると、指針１５の秒針１５ａが０秒位置から運針を開始すると共に、図１４に示すように、第２機能表示部２４の領域内を副針５１が1/20秒の速さで往復回転移動し、第２機能表示部２４の秒目盛を指示するので、1/20秒の秒時間を知ることができる。
【００７１】
また、押釦スイッチ（図示せず）を操作して、アラームモードを選択すると、図１５に示すように、第１機能表示部２１の領域内を副針５１が回転移動し、第１機能表示部２１のアラーム（ＡＬ）の機能表示を指示して停止する。このときには、副針５１は上文字板９の下側に隠れるが、副針５１がアラーム（ＡＬ）の機能表示に位置したときには、これに対応する針露出部５０の露出孔５０ａに副針５１の先端側に位置する第１色部５１ａが対応し、この副針５１の第１色部５１ａが露出して赤色を表示するので、この赤色表示によってアラーム（ＡＬ）の機能表示モードであることを確認することができる。
【００７２】
同様に、押釦スイッチ（図示せず）を操作して、ワールドタイムモードを選択すると、図１６に示すように、第１機能表示部２１の領域内を副針５１が回転移動し、第１機能表示部２１のワールドタイム（ＷＴ）の機能表示を指示して停止する。このときにも、副針５１は上文字板９の下側に隠れるが、副針５１がワールドタイム（ＷＴ）の機能表示に位置したときには、これに対応する針露出部５０の露出孔５０ｂに副針５１の第２色部５１ｂが対応し、この副針５１の第２色部５１ｂが露出して青色を表示するので、この青色表示によってワールドタイム（ＷＴ）の機能表示モードであることを確認することができる。
【００７３】
さらに、押釦スイッチ（図示せず）を操作して、タイマーモードを選択すると、第１機能表示部２１の領域内を副針５１が回転移動し、第１機能表示部２１のタイマー（ＴＭＲ）の機能表示を指示して停止する。このときにも、副針５１は上文字板９の下側に隠れるが、副針５１がタイマー（ＴＭＲ）の機能表示に位置したときには、これに対応する針露出部５０の露出孔５０ｃに副針５１の第３色部５１ｃが対応し、この副針５１の第３色部５１ｃが露出して黄色を表示するので、この黄色表示によってタイマー（ＴＭＲ）の機能表示モードであることを確認することができる。
【００７４】
このように、この腕時計によれば、実施形態１と同様の作用効果があるほか、第１機能表示部２１の各機能表示にそれぞれ対応する針露出部５０の各露出孔５０ａ〜５０ｃを副針５１の回転中心に対し異なる距離で設け、副針５１の表面を第１〜第３の各色部５１ａ〜５１ｃで色分けしたので、副針５１が第１機能表示部２１を指示した際に、各機能表示ごとに異なる色で指示表示することができ、これにより副針５１による指示を良好に読み取ることができると共に、副針５１による指示の誤認をも防ぐことができる。
【００７５】
（実施形態４）
次に、図１７および図１８を参照して、この発明を適用した腕時計の実施形態４について説明する。この場合にも、図１〜図１０に示された実施形態１と同一部分に同一符号を付して説明する。
この腕時計は、第１機能表示部２１の内周側に位置する針露出部５５が実施形態１と異なる構成であり、これ以外は実施形態１とほぼ同じ構成になっている。
【００７６】
すなわち、この針露出部５５は、図１７および図１８に示すように、副針２３の一部を露出させるための露出孔５５ａが第１機能表示部２１の各機能表示に沿って円弧状に連続して設けられた構成になっている。この場合、第１機能表示部２１は、実施形態１と同様、時計回りに、ストップウオッチ（ＳＴＷ）、アラーム（ＡＬ）、ワールドタイム（ＷＴ）、タイマー（ＴＭＲ）、ベースタイム（ＢＴ）などの各機能が表示されている。
【００７７】
副針２３は、実施形態１と同様、ほぼ長方形に形成され、その一端部が副針軸２７に取り付けられ、他端部である先端部が鈍角（約１２０°）に形成されている。これにより、副針２３は、副針軸２７を中心に回転し、上文字板９の下側を移動する際に、図１８に示すように、その先端部側の一部が針露出部５５の露出孔５５ａに対応して露呈することにより、第１機能表示部２１の機能表示を指示するように構成されている。この場合にも、副針２３の表面は、上文字板９と異なる色、または針露出部２２の露出孔２２ａに対応して露呈した際に、目立つ色に表示されている。
【００７８】
このような腕時計においても、実施形態１と同様、上文字板９と下文字板８との間に配置された副針２３が第１機能表示部２１と第２機能表示部２４とに跨る領域内で移動する際、第１機能表示部２１側の領域では、副針２３が上文字板９の下側に隠れるが、副針２３の一部が針露出部５５から露出することにより、第１機能表示部２１を指示することができ、また第２機能表示部２４側の領域では、副針２３が上文字板９の広開口部２０から露出するので、副針２３が第２機能表示部２４を指示していることを視認することができる。これにより、副針２３が第１機能表示部２１と第２機能表示部２４とのいずれを指示しているかを確認することができるので、副針２３による指示の誤認を防ぐことができる。
【００７９】
この場合、第１機能表示部２１に対応する針露出部５５は、第１機能表示部２１におけるストップウオッチ（ＳＴＷ）、アラーム（ＡＬ）、ワールドタイム（ＷＴ）、タイマー（ＴＭＲ）、ベースタイム（ＢＴ）などの各機能表示に沿って露出孔５５ａが連続して設けられていので、副針２３が第１機能表示部２１側に回転移動して第１機能表示部２１各機能表示を指示する際、副針２３が上文字板９の下側に隠れても、各機能表示のいずれかに位置したときに、これに対応する針露出部５５の露出孔５５ａから副針２３の一部を露出させることができ、これにより副針２３が第１機能表示部２１の各機能表示のいずれを指示しているかを確認することができる。
【００８０】
また、ストップウオッチモードを選択した場合には、副針２３が第１機能表示部２１のストップウオッチ（ＳＴＷ）の機能表示に対応する位置から第２機能表示部２４の１０秒の目盛に対応する位置までの間を1/20秒の速さでほぼ１８０°の角度範囲の往復回転移動するので、副針２３の一部がストップウオッチ（ＳＴＷ）の機能表示に位置して、針露出部５５の露出孔５５ａから露出している時間が短く、あたかもストップウオッチ（ＳＴＷ）の機能表示に対応している針露出部５５の露出孔５５ａが点滅しているように見えることになり、この点滅状態でもストップウオッチ（ＳＴＷ）の機能表示モードであることを確認することができる。
【００８１】
（実施形態５）
次に、図１９および図２０を参照して、この発明を適用した腕時計の実施形態５について説明する。この場合にも、図１〜図１０に示された実施形態１と同一部分に同一符号を付して説明する。
この腕時計は、第１機能表示部２１の内周側に位置する針露出部６０と、第１、第２の各機能表示部２１、２４の両者に跨る領域内を運針する副針６１とが、実施形態１と異なる構成であり、これ以外は実施形態１とほぼ同じ構成になっている。
【００８２】
すなわち、針露出部６０は、図１９および図２０に示すように、副針６１の一部を露出させるための露出孔６０ａが第１機能表示部２１の各機能表示に沿って連続すると共に、副針６１の回転中心側に向けて次第に接近する渦巻状の円弧形状に形成されている。この場合、第１機能表示部２１は、実施形態１とほぼ同様、時計回りに、アラーム（ＡＬ）、ワールドタイム（ＷＴ）、タイマー（ＴＭＲ）などの各機能表示が副針６１の回転中心を中心とする円弧に沿って表示されている。
【００８３】
副針６１は、実施形態１と同様、ほぼ長方形に形成され、その一端部が副針軸２７に取り付けられ、他端部である先端部が鈍角（約１２０°）に形成されている。これにより、副針６１は、副針軸２７を中心に回転し、上文字板９の下側を移動した際に、図２０に示すように、その先端部側の一部が針露出部６０の露出孔６０ａに対応して露呈することにより、第１機能表示部２１の機能表示を指示するように構成されている。
【００８４】
また、この副針６１の表面は、図１９に示すように、先端部側から回転中心側に向けて段階的に異なる色で色分けされている。例えば、副針６１の先端側に位置する第１色部分６１ａは、赤色に表示されている。この第１色部分６１ａから回転中心側に位置する第２色部分６１ｂは、青色に表示されている。この第２色部分６１ｂから回転中心側に位置する第３色部分６１ｃは、黄色に表示されている。
【００８５】
このような腕時計によれば、実施形態１と同様の作用効果があるほか、針露出部６０の露出孔６０ａが第１機能表示部２１の各機能表示に沿って連続すると共に、副針６１の回転中心側に向けて次第に接近する渦巻状の円弧形状に形成され、且つ副針６１の表面に先端側から順に第１〜第３の各色部６１ａ〜６１ｃが異なる色で表示されているので、副針６１が第１機能表示部２１を指示する際に、実施形態３と同様、各機能表示ごとに異なる色で指示表示することができ、これにより副針６１による指示を良好に読み取ることができると共に、副針６１による指示の誤認をも防ぐことができる。
【００８６】
なお、上記実施形態３〜５では、副針２３、５１、６１がほぼ長方形状に形成され、その一端部が副針軸２７に取り付けられ、他端部である先端部が鈍角に形成された構成である場合について述べたが、これに限らず、実施形態２の副針４２と同様、副針の中間部を副針軸２７に取り付けることにより、一端部に第１指示部を設け、他端部に第２指示部を設け、第１指示部で第１、第２の各機能表示部のいずれかを指示し、第２指示部で第２機能表示部を指示するように構成しても良く、また第１指示部の表面を第１〜第３の各色部で色分けした構成でも良い。
【００８７】
また、上記実施形態１〜５では、この発明に係わる文字板構造を指針式の腕時計に適用した場合について述べたが、必ずしも腕時計である必要はなく、例えばトラベルウオッチ、目覚まし時計、置き時計、掛け時計などの各種の指針式の時計に適用することができるほか、必ずしも時計である必要はなく、自動車のメータなどの指針式の計器類を含む指針式機器にも、この発明に係わる文字板構造を組み込むことにより、広く適用することができる。
【図面の簡単な説明】
【００８８】
【図１】この発明を腕時計に適用した実施形態１における要部の拡大断面図である。
【図２】図１の腕時計から文字板を含む時計モジュールを取り出して示した拡大正面図である。
【図３】図２における上文字板の広開口部付近に位置する第１、第２の各機能表示部を示した要部の拡大斜視図である。
【図４】図３において副針が第２機能表示部を指示した状態を示した要部の拡大正面図である。
【図５】図３において副針が第１機能表示部のストップウオッチ機能を指示している状態を示した要部の拡大正面図である。
【図６】図３において副針が第１機能表示部に対応する針露出部の遮蔽部に位置して隠れた状態を示した要部の拡大正面図である。
【図７】図３において副針が第１機能表示部のアラーム機能を指示した状態を示した要部の拡大正面図である。
【図８】図３において副針が第１機能表示部のワールドタイム機能を指示した状態を示した要部の拡大正面図である。
【図９】図３において副針が第１機能表示部のタイマー機能を指示した状態を示した要部の拡大正面図である。
【図１０】図３において副針が第１機能表示部のベースタイム機能を指示した状態を示した要部の拡大正面図である。
【図１１】この発明を腕時計に適用した実施形態２において副針の第１指示部が第２機能表示部を指示した状態を示した要部の拡大正面図である。
【図１２】図１１において副針の第２指示部が第２機能表示部を指示した状態を示した要部の拡大正面図である。
【図１３】図１１において副針の第１指示部が第１機能表示部を指示した状態を示した要部の拡大正面図である。
【図１４】この発明を腕時計に適用した実施形態３において副針が第２機能表示部を指示した状態を示した要部の拡大正面図である。
【図１５】図１４において副針が第１機能表示部のアラーム機能を指示した状態を示した要部の拡大正面図である。
【図１６】図１４において副針が第１機能表示部のワールドタイム機能を指示した状態を示した要部の拡大正面図である。
【図１７】この発明を腕時計に適用した実施形態４において副針が第２機能表示部を指示した状態を示した要部の拡大正面図である。
【図１８】図１７において副針が第１機能表示部を指示した状態を示した要部の拡大正面図である。
【図１９】この発明を腕時計に適用した実施形態５において副針が第２機能表示部を指示した状態を示した要部の拡大正面図である。
【図２０】図１９において副針が第１機能表示部を指示した状態を示した要部の拡大正面図である。
【符号の説明】
【００８９】
４  時計モジュール
８  下文字板
９  上文字板
２０  広開口部
２１、４０  第１機能表示部
２２、５０、５５、６０  針露出部
２２ａ、５０ａ〜５０ｃ、５５ａ、６０ａ  露出孔
２２ｂ、５０ｄ  遮蔽部
２３、４２、５１、６１  副針
２４、４２  第２機能表示部
４３  外周目盛部
４４  内周目盛部
４５  第１指示部
４６  第２指示部
５１ａ〜５１ｃ、６１ａ〜６１ｃ  第１〜第３の各色部
【図１】
0005024551.tif 000002
【図２】
0005024551.tif 000003
【図３】
0005024551.tif 000004
【図４】
0005024551.tif 000005
【図５】
0005024551.tif 000006
【図６】
0005024551.tif 000007
【図７】
0005024551.tif 000008
【図８】
0005024551.tif 000009
【図９】
0005024551.tif 000010
【図１０】
0005024551.tif 000011
【図１１】
0005024551.tif 000012
【図１２】
0005024551.tif 000013
【図１３】
0005024551.tif 000014
【図１４】
0005024551.tif 000015
【図１５】
0005024551.tif 000016
【図１６】
0005024551.tif 000017
【図１７】
0005024551.tif 000018
【図１８】
0005024551.tif 000019
【図１９】
0005024551.tif 000020
【図２０】
0005024551.tif 000021